(57)【要約】【課題】ＬＥＤを実装した回路基板を上下逆に配置する誤配置を防止できる照明器具を提供する。【解決手段】ＬＥＤ２１２を実装した回路基板２１１は、器具本体２０に取り付けられ、回路基板２１１に設けられている基板側コネクタ２１４と、器具本体２０側に設けられている器具側コネクタ２７とが接続される。このとき、回路基板２１１を逆向きに取り付けると、基板側コネクタ２１４に器具側コネクタ２７を接続する際に、器具側コネクタ２７が器具本体２０に設けられた突起４０に干渉する。これにより、回路基板２１１の向きが適正でないことがわかるので、ＬＥＤ２１２を実装した回路基板２１１を上下逆に配置する誤配置を防止できる。【選択図】図３
2014029812.tif 000002
【特許請求の範囲】
【請求項１】
ＬＥＤを実装し基板側コネクタを有する回路基板と、
前記回路基板を取り付ける器具本体と、
前記基板側コネクタに接続して点灯電力を供給する器具側コネクタと、を有し、
前記器具本体の適正位置に前記回路基板を装着した状態では、前記基板側コネクタと反対側となる器具本体側の位置に突起を設け、
前記突起が、前記回路基板を逆向きに装着した際に、前記基板側コネクタに接続する前記器具側コネクタと干渉する照明器具。
【発明の詳細な説明】
【技術分野】
【０００１】
本発明は、器具本体にＬＥＤを実装した回路基板を取り付けた照明器具に関するものである。
【背景技術】
【０００２】
従来より、器具本体にＬＥＤを実装した回路基板が取り付けられた照明器具が知られている（例えば、特許文献１参照）。
図５に示すように、特許文献１に記載の照明器具（ＬＥＤランプ）１００では、器具本体であるランプ本体１０１の支持面１０２に、発光装置１０３が取り付けられる。
発光装置１０３は、矩形状の回路基板１０４を備えている。
回路基板１０４は平板状を呈しており、実装面１０５には、複数個のＬＥＤ（発光ダイオード）がマトリクス状に配列された四角い実装領域１０６が設けられている。
実装領域１０６は、一対の給電端子１０７、１０８を介してコネクタ１０９に接続される。
コネクタ１０９は点灯装置（図示省略）に接続され、点灯電力の供給を受ける。
【０００３】
回路基板１０４は、一対の押圧部材１１０、１１１を介して、ランプ本体１０１の支持面１０２に取り付けられる。
押圧部材１１０、１１１は、回路基板１０４の実装領域１０６を間に挟んだ両側で、支持面１０２にビス１１２により取り付けられる。
これにより、回路基板１０４を支持面１０２に弾性的に支持している。
なお、支持面１０２は、グローブ（図示省略）により覆われる。
【先行技術文献】
【特許文献】
【０００４】
【特許文献１】特開２０１１−８２１４１号公報（第３図）
【発明の概要】
【発明が解決しようとする課題】
【０００５】
しかしながら、前述したような従来の照明器具においては、矩形の回路基板１０４を上下逆、すなわち、回路基板１０４の面上で１８０度旋回させた状態で取り付けることが可能である。
このような場合において、ＬＥＤ１０６が回路基板１０４の実装面において偏心して配置されている場合には、ＬＥＤ１０６がランプ本体１０１の支持面１０２の中央に位置しない場合が生じるという問題があった。
【０００６】
本発明は、従来の問題を解決するためになされたもので、ＬＥＤを実装した回路基板を上下逆に配置する誤配置を防止できる照明器具を提供することを目的とする。
【課題を解決するための手段】
【０００７】
本発明の照明器具は、ＬＥＤを実装し基板側コネクタを有する回路基板と、前記回路基板を取り付ける器具本体と、前記基板側コネクタに接続して点灯電力を供給する器具側コネクタと、を有し、前記器具本体の適正位置に前記回路基板を装着した状態では、前記基板側コネクタと反対側となる器具本体側の位置に突起を設け、前記突起が、前記回路基板を逆向きに装着した際に、前記基板側コネクタに接続する前記器具側コネクタと干渉するものである。
【発明の効果】
【０００８】
本発明によれば、回路基板を逆向きに取り付けると、基板側コネクタに器具側コネクタを接続する際に、器具側コネクタが器具本体に設けられた突起に干渉する。これにより、回路基板の向きが適正でないことがわかるので、ＬＥＤを実装した回路基板を上下逆に配置する誤配置を防止できるという効果を有する照明器具を提供できる。
【図面の簡単な説明】
【０００９】
【図１】本発明に係る実施形態の照明器具の断面図
【図２】本発明に係る実施形態の照明器具の分解斜視図
【図３】（Ａ）は本発明に係る実施形態の照明器具における器具本体の底面の斜視図であり、（Ｂ）は器具本体の底面図
【図４】回路基板を誤配置した状態を示す器具本体の斜視図
【図５】従来の照明器具における回路基板の取付けを示す斜視図
【発明を実施するための形態】
【００１０】
以下、本発明に係る実施形態の照明器具について、図面を用いて説明する。
図１に示すように、本発明に係る実施形態の照明器具１０は、例えば天井面１１に取り付けて、主に下方を照明するのに用いることができる。
なお、以下の説明において、照明方向を下方（下側）といい、照明方向と反対方向を上方（上側）ということとする。
【００１１】
図１および図２に示すように、照明器具１０は、器具本体２０と、器具本体２０を天井面１１に取り付けるための枠体３０を有する。
器具本体２０は、全体円柱形状を呈しており、ＬＥＤモジュール２１を取り付ける取付面２２が下方に露出する。
器具本体２０の外周には、ＬＥＤモジュール２１等が発した熱を放出する放熱フィン２３が、複数枚設けられている。
【００１２】
器具本体２０の前方（下方）には、ＬＥＤモジュール２１が発した光を下方へ反射する反射板２４が設けられている。
反射板２４は、中央部が開口し下方に向かって拡径する例えば円錐台形状の反射面を有する。
反射板２４の前側（下側）には、パッキン２５を介して反射板２４を器具本体２０に取り付けるためのリング状の押え板２６が設けられている。
【００１３】
枠体３０は、円筒形状の枠体本体３１を有する。枠体本体３１の外周面には、所定間隔で複数個（図２においては例えば３個）の取付バネ３２が設けられている。
取付バネ３２は、常時、下方に付勢されている。
枠体本体３１の内部には、ＬＥＤモジュール２１および反射板２４からの光を所定の方向および範囲に反射する補助反射板３３が収容されている。
枠体本体３１の下端には、枠体本体３１（すなわち、照明器具１０）を天井面１１に取り付けた際に、天井面１１に当接して下方に露出するリング形状の枠３４が枠体本体３１の外側に突出して設けられている。
これにより、枠体本体３１は、取付バネ３２と枠３４との間に天井面（天井部材）１１を挟持することにより、天井面１１に取り付けられる。
【００１４】
図３（Ａ）に示すように、器具本体２０の取付面２２に取り付けられるＬＥＤモジュール２１は、矩形板状の回路基板２１１と、回路基板２１１の実装面に配列される複数個のＬＥＤ２１２を有する。
ＬＥＤ２１２は、全体円形に配置されて発光部２１３が形成されている。
発光部２１３は、矩形の回路基板２１１の中心から長手方向に沿った方向（図３（Ａ）においては上方）に偏心して設けられている。
【００１５】
回路基板２１１は、対向する一対の側端部（図３（Ａ）において左右側端部）を、取付板２９、２９で固定する。
取付板２９は、幅が狭い板状部材であり、ねじ２９１によって取付面２２にねじ止めされる。
発光部２１３は、回路基板２１１を取付面２２の適正位置に配置した際に、取付面２２の中央付近、すなわち、直交する中心線ＣＬ１、ＣＬ２（図３（Ｂ）参照）の交点付近に位置する。
【００１６】
回路基板２１１において、発光部２１３が偏心した方向と反対側には、基板側コネクタ２１４が取り付けられている。
取付面２２には貫通孔２２１が設けられており、先端に器具側コネクタ２７が取り付けられた電線２８が配線される。
器具側コネクタ２７は、回路基板２１１の下部（図３（Ａ）において下部）に位置する基板側コネクタ２１４に接続されて、点灯電力を供給する。
【００１７】
取付面２２の適正位置に配置された回路基板２１１（図３（Ａ）に示す状態）の基板側コネクタ２１４と反対側には、回路基板２１１に近接して取付面２２に突起４０が設けられている。
突起４０はリブ状をしており、回路基板２１１の中心線ＣＬ１上、あるいは、この近傍において、取付面２２から突出して設けられる。
【００１８】
従って、ＬＥＤモジュール２１を取付面２２に取り付ける際には、回路基板２１１を適正位置に配置して、取付板２９により取り付ける。
そして、器具側コネクタ２７を基板側コネクタ２１４に接続する。
この際、図４に示すように、回路基板２１１を適正に配置せずに、上下逆に装着した場合には、器具側コネクタ２７を基板側コネクタ２１４に接続する際に、器具側コネクタ２７が突起４０に干渉する。
これにより、器具側コネクタ２７と基板側コネクタ２１４とを接続できないか、あるいは、接続が困難になるので、回路基板２１１が適正に装着されていないことが容易にわかる。
【００１９】
以上、説明した本発明に係る実施形態の照明器具１０によれば、ＬＥＤ２１２を実装した回路基板２１１は、器具本体２０に取り付けられる。
そして、回路基板２１１に設けられている基板側コネクタ２１４と、器具本体２０側に設けられている器具側コネクタ２７とが接続される。
このとき、回路基板２１１を逆向きに取り付けると、基板側コネクタ２１４に器具側コネクタ２７を接続する際に、器具側コネクタ２７が器具本体２０に設けられた突起４０に干渉する。
これにより、回路基板２１１の向きが適正でないことがわかるので、ＬＥＤ２１２を実装した回路基板２１１を上下逆に配置する誤配置を防止できる。
【００２０】
なお、本発明の照明器具は、前述した実施形態に限定されるものでなく、適宜な変形、改良等が可能である。
例えば、前述した実施形態においては、突起４０をリブ状に形成した場合を例示したが、器具側コネクタ２７を接続する際に、器具側コネクタ２７が干渉するものであれば、柱状やブロック状でも良い。
また、突起４０は１個に限らず、複数個設けることもできる。
【符号の説明】
【００２１】
１０  照明器具
２０  器具本体
２１１  回路基板
２１２  ＬＥＤ
２１４  基板側コネクタ
２７  器具側コネクタ
４０  突起
【図１】
2014029812.tif 000003
【図２】
2014029812.tif 000004
【図３】
2014029812.tif 000005
【図４】
2014029812.tif 000006
【図５】
2014029812.tif 000007